(57)【要約】【課題】印刷不具合によってマーキング画像が乱れた場合、画像処理が継続できないという課題を解決する。【解決手段】画像処理装置１は、原稿の画像データを読み取る原稿読み取り部５０と、前記原稿読み取り部５０で読み取られた前記画像データを演算により処理する画像処理部６１と、テストパターンの色情報を記憶する記憶部６３と、前記画像処理部６１で処理された前記画像データの色情報と、前記記憶部６３に記憶された前記テストパターンの色情報と、を比較して一致／不一致の比較結果を求める画像比較部６２と、前記比較結果が一致の場合には、前記画像処理部６１で処理された前記画像データを外部へ送信する情報通信部５２と、を備えている。印刷手段において印刷不具合が発生した場合には、前記原稿として、前記テストパターンを印刷したテストパターン原稿を使用する。【選択図】図１
2016225703.tif 000002
【特許請求の範囲】
【請求項１】
原稿の画像データを読み取る原稿読み取り部と、
前記原稿読み取り部で読み取られた前記画像データを演算により処理する画像処理部と、
テストパターンの色情報を記憶する記憶部と、
前記画像処理部で処理された前記画像データの色情報と、前記記憶部に記憶された前記テストパターンの色情報と、を比較して一致／不一致の比較結果を求める画像比較部と、
前記比較結果が一致の場合には、前記画像処理部で処理された前記画像データを外部へ送信する情報通信部と、
を備えることを特徴とする画像処理装置。
【請求項２】
前記画像比較部は、
前記色情報の割合を比較して、前記一致／不一致の比較結果を求めることを特徴とする請求項１記載の画像処理装置。
【請求項３】
請求項１又は２記載の画像処理装置は、更に、
前記原稿読み取り部で読み取られた前記画像データを印刷する印刷手段を備え、
前記印刷手段において印刷不具合が発生した場合には、前記原稿として、前記テストパターンを印刷したテストパターン原稿を使用することを特徴とする画像処理装置。
【請求項４】
請求項３記載の画像処理装置は、更に、
情報の表示を行う表示手段を備え、
前記画像比較部は、
前記比較結果が不一致の場合には、前記表示手段に対して、前記テストパターン原稿の確認を指示する表示を行わせることを特徴とする画像処理装置。
【請求項５】
前記表示手段は、
情報の入力を行う操作部に設けられていることを特徴とする請求項４記載の画像処理装置。
【請求項６】
前記色情報は、
ＲＧＢデータであることを特徴とする請求項１〜５のいずれか１項記載の画像処理装置。
【発明の詳細な説明】
【技術分野】
【０００１】
本発明は、複写機や複合機（ＭｕｌｔｉＦｕｎｃｔｉｏｎ  Ｐｒｉｎｔｅｒ／Ｐｒｏｄｕｃｔ／Ｐｅｒｉｐｈｅｒａｌ、以下「ＭＦＰ」という。）等の画像処理装置に関するものである。
【背景技術】
【０００２】
従来、例えば、特許文献１に記載された画像処理装置では、この画像処理装置にて読み取った画像データを出力する際、セキュリティのために登録済みのマーキング画像と一致する画像を検出した場合のみ、画像処理を継続する方法が採用されている。なお、マーキング画像とは、所定の情報を含むバーコードや二次元コード等の画像のことである。
【先行技術文献】
【特許文献】
【０００３】
【特許文献１】特開２００９−３３５７９号公報
【発明の概要】
【発明が解決しようとする課題】
【０００４】
しかしながら、従来の画像処理装置では、印刷不具合によってマーキング画像が乱れた場合、画像処理が継続できないという課題があった。
【課題を解決するための手段】
【０００５】
本発明の画像処理装置は、原稿の画像データを読み取る原稿読み取り部と、前記原稿読み取り部で読み取られた前記画像データを演算により処理する画像処理部と、テストパターンの色情報を記憶する記憶部と、前記画像処理部で処理された前記画像データの色情報と、前記記憶部に記憶された前記テストパターンの色情報と、を比較して一致／不一致の比較結果を求める画像比較部と、前記比較結果が一致の場合には、前記画像処理部で処理された前記画像データを外部へ送信する情報通信部と、を備えることを特徴とする。
【発明の効果】
【０００６】
本発明の画像処理装置によれば、上記課題を解決するために、マーキング画像等の画像データの形状が一致するか否かで判定するのではなく、画像比較部により、画像データの色情報が一致するか否かで画像処理を継続するか否かを判定するようにしている。これにより、印刷不具合が発生している場合においても、原稿全体の色情報はある程度一致するために、画像処理を継続することが可能となる。
【図面の簡単な説明】
【０００７】
【図１】図１は図２の画像処理装置１における概略の回路構成を示すブロック図である。
【図２】図２は本発明の実施例１における画像処理装置の概略を示す構成図である。
【図３】図３は本実施例１で使用するテストパターンＴＰの例を示す図である。
【図４】図４はテストパターンＴＰの色情報の例を示す図である。
【図５】図５は本実施例１でテストパターンＴＰとの比較に用いた一般的なテキスト原稿ＭＳ１の例を示す図である。
【図６】図６は本実施例１でテストパターンＴＰとの比較に用いた一般的なカラー写真原稿ＭＳ２の例を示す図である。
【図７】図７は一般原稿の色情報の例を示す図である。
【図８】図８はシアンテストパターンＴＰｃの表裏を間違って裏面を読み取った場合の色情報の例を示す図である。
【図９】図９は印刷不具合時の動作を示すフローチャートである。
【発明を実施するための形態】
【０００８】
本発明を実施するための形態は、以下の好ましい実施例の説明を添付図面と照らし合わせて読むと、明らかになるであろう。但し、図面はもっぱら解説のためのものであって、本発明の範囲を限定するものではない。
【実施例１】
【０００９】
（実施例１の構成）
図２は、本発明の実施例１における画像処理装置の概略を示す構成図である。
【００１０】
本実施例１の画像処理装置１は、例えば、ＭＰＦであり、筐体２を有している。筐体２内の下部には、記録媒体Ｐを収容するトレイ３が着脱自在に装着されている。トレイ３の前端側の上部には、ホッピングローラ４が配置されている。ホッピングローラ４は、トレイ３内の記録媒体Ｐを１枚ずつ取り出す（ピックアップ）ものであり、この下流側に、レジストローラ５が配置されている。レジストローラ５は、ホッピングローラ４により取り出された記録媒体Ｐを斜行させずに、複数の現像ユニット１０へ搬送するものである。
【００１１】
複数の現像ユニット１０は、現像剤像（以下「トナー像」という。）を生成するものであり、筐体２内においてトレイ３の上方に配置され、例えば、現像剤（以下「トナー」という。）の色に応じたブラック（黒）用の現像ユニット１０Ｂｋ、イエロー（黄）用の現像ユニット１０Ｙ、マゼンタ用の現像ユニット１０Ｍ、及びシアン用の現像ユニット１０Ｃを備え、これらの現像ユニット１０Ｂｋ，１０Ｙ，１０Ｍ，１０Ｃが、記録媒体搬送路の上流側から下流側へ向かって配列されている。
【００１２】
複数の現像ユニット１０の下方には、転写ユニット３０が配置されている。転写ユニット３０は、複数の現像ユニット１０により生成されたトナー像を記録媒体Ｐ上に転写するものであり、この下流側に、定着器４０が配置されている。定着器４０は、記録媒体Ｐ上に転写されたトナー像を加温及び加圧により定着させるものであり、この下流側に、排出ローラ６が配置されている。排出ローラ６は、記録媒体Ｐを筐体２の外へ排出するものである。筐体２の上面側には、原稿読み取り部としてのフラットベッドスキャナ５０が配設されている。
【００１３】
ここで、各現像ユニット１０（＝１０Ｂｋ，１０Ｙ，１０Ｍ，１０Ｃ）は、静電潜像担持手段としての感光ドラム１１と、この感光ドラム１１の周囲に配置された帯電手段としての帯電ローラ１２、露光手段としての発光素子（以下「ＬＥＤ」という。）ヘッド１３、クリーニング装置１４、及び現像器２０と、を備えている。
【００１４】
感光ドラム１１は、例えば、厚さ０．７５ｍｍ、外径３０ｍｍのアルミ素管を有し、このアルミ素管上に、膜厚０．５μｍの電荷発生層、膜厚２０μｍの電荷輸送層が設けられている。帯電ローラ１２は、感光ドラム１１の表面を均一に帯電させるための装置であり、例えば、ＳＵＳ（ステンレス鋼）材からなる導体を有し、この導体を軸としてエピクロルヒドリン等の導電性の弾性体が被覆されており、感光ドラム１１に接触するように配置されている。ＬＥＤヘッド１３は、一様に帯電された感光ドラム１１の表面を選択露光して静電潜像パターンを形成するための露光装置であり、ＬＥＤ素子、ＬＥＤ駆動素子、及びレンズアレイにより構成され、そのＬＥＤ素子からの照射光がレンズアレイを通して感光ドラム１１の表面に結像する位置に配置されている。クリーニング装置１４は、感光ドラム１１上の未転写等により残留したトナーや、現像器２０から感光ドラム１１上へ移動させた廃棄トナーを掻き取った後に廃棄するための装置であり、例えば、ゴムを用いたクリーニングブレード１４ａにより構成され、このクリーニングブレード１４ａの先端を感光ドラム１１の表面に当て込むように配置されている。
【００１５】
現像器２０は、感光ドラム１１に形成された静電潜像パターンにトナー像を現像するための装置であり、各色のトナーカートリッジ２４（＝２４Ｂｋ，２４Ｙ，２４Ｍ，２４Ｃ）から補給されるトナーを受け取る現像剤供給手段としての供給ローラ２１と、この供給ローラ２１に接触するように配置された現像剤担持手段としての現像ローラ２２と、先端部分が現像ローラ２２に押し当てるように配置された規制ブレード２３と、を備えている。現像ローラ２２は、感光ドラム１１の表面に接触する位置に配置されている。
【００１６】
供給ローラ２１は、例えば、ＳＵＳ材からなる導電性シャフト（芯金）と弾性層にて形成されている。弾性層は、導電性シリコーンゴム発泡体層、又は導電性ウレタンゴム発泡体層で形成されている。弾性層に半導電性を持たす場合は、アセチレンブラックやカーボンブラック等が添加される。
【００１７】
現像ローラ２２は、例えば、ＳＵＳ材からなる導電性シャフト（芯金）を有し、この導電性シャフト上に、弾性層がロール状に配設され、この弾性層が表面層により覆われている。弾性層は、例えば、ウレタンゴムやシリコーンゴム等で形成されている。表面層は、例えば、ウレタン溶液により処理を行ったものや、アクリル樹脂、アクリル−フッ素共重合樹脂を塗布したものが使用されている。アクリル樹脂、アクリル−フッ素共重合樹脂を表面層としたものには、導電性を付与するため、カーボンブラックが配合されている。
【００１８】
規制ブレード２３は、例えば、板厚０．０８ｍｍのＳＵＳ製で、現像ローラ２２との接触部に曲げ加工が施されており、その曲げ部の曲率半径Ｒが０．２ｍｍであり、現像ローラ２２に対する線圧が３０ｇｆ／ｃｍである。但し、規制ブレード２３の曲率半径Ｒと線圧はこれに限ったものではなく、現像ローラ２２上のトナー量やトナー帯電量に応じて調整可能である。
【００１９】
転写ユニット３０は、記録媒体Ｐを搬送してトナー像を転写する無端状の転写ベルト３１と、この転写ベルト３１を駆動するドライブローラ３２と、転写ベルト３１の駆動を安定させるアイドルローラ３３と、転写ベルト３１の内側に配置されてこの転写ベルト３１の外側を感光ドラム１１に接触させる転写部材としての複数の転写ローラ３４（＝３４Ｂｋ，３４Ｙ，３４Ｍ，３４Ｃ）と、を備えている。複数の転写ローラ３４は、感光ドラム１１上に形成されたトナー像を記録媒体Ｐ、又は転写ベルト３２に転写するための装置であり、例えば、導電性の発泡性弾性体により形成されている。転写ベルト３１の近傍には、この転写ベルト３１上のトナーをクリーニングするベルトクリーニング装置３５が配置されている。
【００２０】
定着器４０は、記録媒体Ｐ上に転写されたトナー像を加温、加圧により定着させるための装置であり、加熱ローラであるヒートローラ４１と、このヒートローラ４１に圧接する加圧ローラ４２と、を備えている。ヒートローラ４１は、例えば、外径２８ｍｍの鉄の素管を有し、この素管上に、シリコーンゴムの弾性層が配設され、更に、この弾性層を覆うようにトナー剥離層としてＰＦＡ（フッ素樹脂）チューブが設けられている。一方、加圧ローラ４２には、弾性層が無く、鉄の素管上にＰＦＡチューブが設けられている。ヒートローラ４１は、熱源として、例えば、素管内側にハロゲンランプ４１ａが設けられている。
【００２１】
フラットベッドスキャナ５０は、原稿ＭＳを読み取るための装置であり、読み取りセンサ５１を移動させて原稿ＭＳの画像データを光学的に読み取るようになっている。フラットベッドスキャナ５１の外側には、操作部５３が設けられている。操作部５３は、画像処理装置１の状態の表示手段５３ａと、メニューの選択や設定内容を変更するための入力手段５３ｂと、を備えている。
【００２２】
図１は、図２の画像処理装置１における概略の回路構成を示すブロック図である。
読み取りセンサ５１と情報通信部５２とは、制御部６０に接続されている。情報通信部５２には、ネットワーク回線７０を介して、パーソナルコンピュータ（以下「ＰＣ」という。）等の上位装置７１、保守サービスのサーバ７２、及びＰＣ等の他の端末装置７３等が通信可能に接続されている。
【００２３】
制御部６０は、上位装置７１からネットワーク回線７０及び情報通信部５２を介して送られてくる指示に従い、画像処理装置１の全体をプログラム制御するものであり、画像処理部６１、画像比較部６２、記憶部６３、及び画像制御部６４を有し、例えば、中央処理装置（ＣＰＵ）等により構成されている。画像比較部６２には、操作部５３が接続されている。
【００２４】
画像制御部６４には、定着制御部６５、露光制御部６６、及び電圧制御部６７が接続されている。定着制御部６５には、定着器４０が接続されている。露光制御部６６には、ＬＥＤヘッド１３が接続されている。更に、電圧制御部６７には、帯電ローラ１２、供給ローラ２１、現像ローラ２２、規制ブレード２３、及び複数の転写ローラ３４（＝３４Ｂｋ，３４Ｙ，３４Ｍ，３４Ｃ）が接続されている。
【００２５】
これらの画像制御部６４、定着制御部６５、露光制御部６６、電圧制御部６７、定着器４０、ＬＥＤヘッド１３、帯電ローラ１２、供給ローラ２１、現像ローラ２２、規制ブレード２３、及び複数の転写ローラ３４等により、フラットベッドスキャナ５０で読み取られた画像データを印刷する印刷手段が構成されている。
【００２６】
制御部６０は、上位装置７１よりネットワーク回線７０及び情報通信部５２を介して印刷指示を受けると、画像制御部６４へ印刷を指示する。画像制御部６４は、定着制御部６５、露光制御部６６、及び電圧制御部６７へ印刷動作を指示する。定着制御部６５は、画像制御部６４より指示を受けると、定着器４０の温度を制御する。露光制御部６６は、画像制御部６４より指示を受けると、ＬＥＤヘッド１３の発光を制御する。電圧制御部６７は、画像制御部６４より指示を受けると、帯電ローラ１２、供給ローラ２１、現像ローラ２２、規制ブレード２３、及び複数の転写ローラ３４へ印加する電圧を制御する機能を有している。
【００２７】
又、制御部６０は、上位装置７１よりネットワーク回線７０及び情報通信部５２を介して読み取り指示を受けると、読み取りセンサ５１で原稿の画像データを読み取り、読み取った画像データを画像処理部６１へ送る。画像処理部６１は、受け取った画像データを演算により処理し、この処理した画像データを画像比較部６２へ送る。画像比較部６２は、記憶部６３に記憶されているテストパターンの色情報と、画像処理部６１より受け取った画像データの色情報と、を比較して一致／不一致の比較結果を求め、この比較結果が一致の場合には、画像処理部６１より受け取った画像データを情報通信部５２へ送る。情報通信部５２は、受け取った画像データを、ネットワーク回線７０を介して、上位装置７２より指定された宛先の端末装置７３等へ送信する。一方、画像比較部６２は、比較結果が不一致の場合、操作部５３へ原稿の確認を指示する表示を出す機能を有している。
【００２８】
（実施例１の動作）
本実施例１の画像処理装置１における読み取り動作（Ａ）、印刷動作（Ｂ）、及び、印刷不具合時の動作（Ｃ）を説明する。
【００２９】
（Ａ）  読み取り動作
図１及び図２の画像処理装置１において、原稿ＭＳの読み取りを行う場合、操作者（ユーザ）は、フラットベッドスキャナ５０に原稿ＭＳを載置し、操作部５３の入力手段５３ｂから読み取り指示を入力する。制御部６０は、その読み取り指示を受信すると、読み取りセンサ５１に読み取り指示を送る。読み取りセンサ５１は、原稿ＭＳの画像データを読み取り、この読み取った画像データを画像処理部６１へ送る。すると、画像処理部６１により、所定の演算処理が行われる。
【００３０】
（Ｂ）  印刷動作
図１及び図２の画像処理装置１において、記録媒体Ｐに印刷を行う場合、制御部６０の制御により、トレイ３内の記録媒体Ｐがホッピングローラ４によって取り出される。取り出された記録媒体Ｐは、レジストローラ５によって斜行が修正され、複数の現像ユニット１０及び転写ユニット３０へ搬送される。
【００３１】
画像制御部６４は、定着制御部６５、露光制御部６６、及び電圧制御部６７へ印刷動作を指示する。電圧制御部６７の制御により、帯電ローラ１２に帯電電圧が印加されて感光ドラム１１の表面が一様に帯電される。露光制御部６６からの指示に従い、ＬＥＤヘッド１３が発光し、感光ドラム１１の表面に静電潜像パターンが形成される。電圧制御部６７の制御により、表面にトナー薄層が形成された現像ローラ２２に対して、現像電圧が印加され、感光ドラム１１上の静電潜像パターンが現像される。ここで、電圧制御部６７の制御により、供給ローラ２１と規制ブレード２３には、供給電圧と規制ブレード電圧がそれぞれ印加され、現像ローラ２２上のトナー薄層が均一に形成され、そのトナー薄層中のトナーの帯電量が所定の値に保持される。
【００３２】
次に、電圧制御部６７の制御により、複数の転写ローラ３４に転写電圧が印加され、感光ドラム１１上のトナー像が記録媒体Ｐ上へ転写される。定着制御部６５により制御される定着器４０によって、転写された記録媒体Ｐ上のトナー像が加温、加圧されて定着される。定着された記録媒体Ｐは、排出ローラ６にて筐体２の外へ排出され、印刷動作が完了する。転写されずに感光ドラム１１上に残ったトナーは、クリーニング装置１４によって除去される。
【００３３】
（Ｃ）  印刷不具合時の動作
図１及び図２の画像処理装置１では、印刷不具合が発生した際に、テストパターンＴＰを印刷し、このテストパターンＴＰを読み取りセンサ５１で読み取り、制御部６０、情報通信部５２、及びネットワーク回線７０を経由して、保守サービスのサーバ７２へ送信することで、印刷不具合の原因を調査して対処を行っている。
【００３４】
図３は、本実施例１で使用するテストパターンＴＰの例を示す図である。
テストパターンＴＰは、４枚のテストパターン（即ち、シアンテストパターンＴＰｃ、マゼンタテストパターンＴＰｍ、イエローテストパターンＴＰｙ、及びブラックテストパターンＴＰｂｋ）で構成され、用紙毎に、ブラック、イエロー、マゼンタ、シアンの各色が、印刷領域全面に３０％ｄｕｔｙで印刷されている。
【００３５】
図４（ａ）〜（ｄ）は、テストパターンＴＰの色情報（例えば、Ｒ（赤）、Ｇ（緑）、Ｂ（青）データ）の例を示す図であり、同図（ａ）はブラックテストパターンＴＰｂｋのＲＧＢデータ、同図（ｂ）はイエローテストパターンＴＰｙのＲＧＢデータ、同図（ｃ）はマゼンタテストパターンＴＰｍのＲＧＢデータ、及び同図（ｄ）はシアンテストパターンＴＰｃのＲＧＢデータをそれぞれ示す図である。
【００３６】
この図４（ａ）〜（ｄ）では、印刷された４色のテストパターンＴＰ（＝ＴＰｂｋ，ＴＰｙ，ＴＰｍ，ＴＰｃ）の画像データが読み取りセンサ５１で読み取られ、この読み取られた画像データにおけるＲＧＢデータが示されている。読み取られた画像データにおけるＲＧＢデータの数値が、０〜２５５までを１０分割したうちの、どこに当てはまるかが割合（％）で示されており、割合（％）の数字が大きい程、その範囲のデータ数が多いことになる。
【００３７】
なお、色の性質として、色の３原色であるＲ、Ｇ、Ｂを同一の割合で混合した場合、ＲとＧを混合するとイエロー、ＧとＢを混合するとシアン、ＢとＲを混合するとマゼンタ、ＲとＧとＢを混合すると白になる。Ｒ、Ｇ、Ｂの混合の割合を変えると、前記とは異なる色になる。
【００３８】
図４（ａ）〜（ｄ）では、４色のテストパターンＴＰ（＝ＴＰｂｋ，ＴＰｙ，ＴＰｍ，ＴＰｃ）が全面均一のため、決まった範囲にデータが集中していることが分かる。
【００３９】
図５は、本実施例１でテストパターンＴＰとの比較に用いた一般的なテキスト原稿ＭＳ１の例を示す図である。同じく、図６は、本実施例１でテストパターンＴＰとの比較に用いた一般的なカラー写真原稿ＭＳ２の例を示す図である。
【００４０】
図７（ａ）、（ｂ）は、一般原稿の色情報（例えば、ＲＧＢデータ）の例を示す図であり、同図（ａ）はテキスト原稿ＭＳ１のＲＧＢデータ、及び同図（ｂ）はカラー写真原稿ＭＳ２のＲＧＢデータを示す図である。
【００４１】
図７（ａ）におけるテキスト原稿ＭＳ１のＲＧＢデータは、背景の白データに近い数値の割合が多くなっている。一方、図７（ｂ）におけるカラー写真原稿ＭＳ２のＲＧＢデータは、全範囲に不規則な割合でデータが存在している。
【００４２】
図８は、シアンテストパターンＴＰｃの表裏を間違って裏面を読み取った場合の色情報（例えば、ＲＧＢデータ）の例を示す図である。
【００４３】
この図８では、殆どのデータが白に近い数値に集まっており、白紙の用紙を読み取った状態に近いことが分かる。
【００４４】
図４、図７、図８より、テストパターンＴＰ（＝ＴＰｂｋ，ＴＰｙ，ＴＰｍ，ＴＰｃ）のＲＧＢデータと一般原稿ＭＳ１，ＭＳ２のＲＧＢデータとでは、データの分布が異なるため、テストパターンＴＰを全面均一という特異なパターンにすることで、読み取ったＲＧＢデータの数値の割合を比較し、読み取った原稿ＭＳがテストパターンＴＰか否かを判別することが可能である。又、表裏を間違えて読み取った場合についても、データの数値が集まる範囲が異なるため、判別可能である。具体的には、各テストパターンＴＰ（＝ＴＰｂｋ，ＴＰｙ，ＴＰｍ，ＴＰｃ）でのＲＧＢデータで割合が最も多くなる範囲のデータ数が、全体の８割を超えている場合に、原稿ＭＳがテストパターンＴＰであると判定することとする。
【００４５】
本実施例１では、テストパターンＴＰを読み取った場合のＲＧＢデータを予め画像処理装置１内の記憶部６３に記憶させておき、印刷不具合が発生した際に、印刷したテストパターンＴＰの原稿ＭＳ（即ち、テストパターン原稿）を読み取りセンサ５１で読み取り、記憶されたテストパターンＴＰにおけるＲＧＢデータの割合と、読み取られたテストパターン原稿におけるＲＧＢデータの割合と、が一致しているか否かを判定し、一致している場合のみ、ネットワーク回線７０を経由して保守サービスのサーバ７２へ送信するようにしている。
【００４６】
図９は、印刷不具合時の動作を示すフローチャートである。
印刷不具合の原因の調査が開始されると、ステップＳ０１へ進む。ステップＳ０１において、印刷不具合を確認するために、ユーザは、印刷したテストパターン原稿をフラットベッドスキャナ５０にセットし、ネットワーク送信するために、操作部５３の入力手段５３ｂより送信指示を入力し、ステップＳ０２へ進む。ステップＳ０２において、読み取りセンサ５１が、セットされたテストパターン原稿の読み取りを実行し、ステップＳ０３へ進む。ステップＳ０３において、読み取られたテストパターン原稿の画像データを、画像処理部６１で演算処理して演算結果である色情報としてのＲＧＢデータを求め、ステップＳ０４へ進む。
【００４７】
ステップＳ０４において、画像比較部６２は、画像処理部６１の演算結果であるＲＧＢデータと、記憶部６３に記憶されたテストパターンＴＰにおけるＲＧＢデータと、の割合（％）を比較し、それらが一致しているか否かを判定する。判定結果が一致している場合は（ＹＥＳ）、ステップＳ０５へ進み、判定結果が不一致の場合は（ＮＯ）、ステップＳ０６へ進む。ステップＳ０５において、画像処理部６１で処理された画像データを、ネットワーク回線７０を経由して保守サービスのサーバ７２へ送信し、動作を終了する。ステップＳ０６において、操作部５３の表示手段５３ａに、テストパターン原稿を確認する指示を表示し、動作を終了する。
【００４８】
（実施例１の変形例）
本実施例１では、４色のテストパターンＴＰ（＝ＴＰｂｋ，ＴＰｙ，ＴＰｍ，ＴＰｃ）を各色の全面３０％ｄｕｔｙパターンとしたが、これに限らず、ｄｕｔｙの変更や、４色を１枚のテストパターンＴＰに纏める等、一般原稿ＭＳ１，ＭＳ２の読み取りデータと区別できるようなパターンにすることで適宜変更が可能である。
【００４９】
又、本実施例１ではＲＧＢデータを１０分割し、８割以上のデータが同じ範囲に集まることでテストパターンＴＰと判定しているが、これに限らず、テストパターンＴＰの内容や、読み取りセンサ５１の性能等により、適宜変更が可能である。
【００５０】
（実施例１の効果）
本実施例１よれば、画像比較部６２により、画像データにおけるＲＧＢデータが一致するか否かで画像処理を継続するか否かを判定するようにしている。そのため、テストパターン原稿の画像データをネットワーク送信する際、ユーザの確認無しで、テストパターン原稿の置き間違いがないかを判別できる。しかも、従来のようなマーキング画像を用いた判別ではなく、ＲＧＢデータの割合よりテストパターンＴＰか否かを判別するため、印刷不具合によりマーキング画像が乱れた場合でも、ネットワーク送信することが可能である。
【００５１】
（本発明の他の変形例）
本発明は、上記実施例１に限定されず、下記のように、種々の利用形態や変形が可能である。
【００５２】
図１の画像処理装置１は、他の構成に変形しても良い。例えば、フラットベッドスキャナ５０は、他の原稿読み取り部で構成しても良い。色情報は、ＲＧＢデータ以外の情報であっても良い。又、実施例１では、画像処理装置１としてＭＦＰを用いて説明したが、複写機や、プリンタとスキャナを組み合わせて用いた場合等にも本発明の適用が可能である。
【符号の説明】
【００５３】
１      画像処理装置
１０，１０Ｂｋ，１０Ｙ，１０Ｍ，１０Ｃ      現像ユニット
３０      転写ユニット
４０      定着器
５０      フラットベッドスキャナ（原稿読み取り部）
５１      読み取りセンサ
５２      情報通信部
５３      操作部
５３ａ      表示手段
５３ｂ      入力手段
６０      制御部
６１      画像処理部
６２      画像比較部
６３      記憶部
６４      画像制御部
７０      ネットワーク回線
７１      上位装置
【図１】
2016225703.tif 000003
【図２】
2016225703.tif 000004
【図３】
2016225703.tif 000005
【図４】
2016225703.tif 000006
【図５】
2016225703.tif 000007
【図６】
2016225703.tif 000008
【図７】
2016225703.tif 000009
【図８】
2016225703.tif 000010
【図９】
2016225703.tif 000011